(57)【要約】【課題】  携帯電話や音響機器、更にはカメラやファクシミリなど多くの電気機器に使用される小型押しボタンスイッチに使用する小型スイッチバネを従来より小型化し、製造しやすい構造にする。【解決手段】  中央に可動接点部１１を有し、両側の常接接点部１２と連接部１３で連接された一体板からなる小型スイッチバネの常接接点部１２に溝幅一定の凸形状をした接点部１５、１６を設ける。【選択図】  図１
2005340126.tif 000002
【特許請求の範囲】
【請求項１】
第１の端子と第2の端子とを接続・切断するスイッチにおいて、
中央にアーチ状に湾曲した可動接点部と該可動接点部とスリットを介し両側にあって前記第２の端子と常時接続している常接接点部と、前記可動接点部と前記常接接点部の両端を一体に結合する連接部からなり、前記可動接点部の中央の押圧により該可動接点部が湾曲の反対側に変形して前記第１の端子に接触するスイッチバネにあって、
前記常接接点部は溝幅一定の凸形状をした接点部を備えたことを特徴とする小型スイッチバネ。
【請求項２】
請求項1の小型スイッチバネにおいて、
前記接点部の断面形状が円弧形状をしていることを特徴とするスイッチバネ。
【請求項３】
請求項1の小型スイッチバネにおいて、
前記接点の断面形状が楔形をしていることを特徴とするスイッチバネ。
【請求項４】
請求項1の小型スイッチバネにおいて、
前記両側の常接接点部にそれぞれに前記接点部を複数個備えたことを特徴とするスイッチバネ。
【発明の詳細な説明】
【技術分野】
【０００１】
本発明は、テレビ、ビデオの家電や音響機器のリモコン、カメラやファクシミリ、携帯電話など多くの電気機器に使用される押しボタンスイッチ、特に小型のボタンスイッチに関る。
【背景技術】
【０００２】
電気製品に対する小型化、薄型化の要望は強い。とりわけリモコンなどの可動製品、携帯電話やカメラなどの携帯製品、さらにはコンパクトディスクやミニディスク、ウォークマンなどの音響機器に至るまで色々な要求は強く、これに伴い、これら機器に備わるスイッチにも小型・薄型化は強まるばかりである。
【０００３】
これら電気機器に使用される小型スイッチは、押したときの感触を得られるよう金属バネ方式とラバーバネ方式が採用されている。中でも金属バネ方式はショートストロークでクリック感覚を伴った感触が得られることから、小型化すればするほど金属バネ方式が重用されることが多い。
【０００４】
スイッチを小型化するということは当然内蔵する金属バネも小型化しなければならない。しかし、スイッチの特性には感触性を確保しながら、荷重、ストローク、クリック率、接触抵抗に加えて繰り返し利用される使命のある耐久性がある。  
一般には、小さくすることでこれらの特性が全て悪い方向に向かい、ストロークの確保が難しく、クリック感触の悪い、耐久性も低いスイッチになる傾向にある。
【０００５】
このような問題解決のために、本出願人は先に特開平１１−１４４５５９により構造簡単な押しボタンスイッチを提案した。図３はその押しボタンスイッチのスイッチバネを示す。このスイッチバネは、例えば、図４に示すような押しボタンスイッチに組み込まれて使用される。
【０００６】
図３の１０は本出願人が先に提案したスイッチバネ１０の斜視図である。一枚の板でほぼ長方形に作られ、中央が上方向のアーチ状に湾曲した可動接点部１１がある。スイッチバネ全体はこの可動接点部１１の中心を軸に平面的に左右上下が対象であって、平行な二つのスリット１４を挟んで両側には常接接点部１２があり、可動接点部１１と常接接点部１２のそれぞれ両端は連接部１３により連接された構造である。
【０００７】
常接接点部１２には、可動接点部１１の湾曲と反対方向に隆起し、常接接点部１２を横断する３つの凸部１５、１６、１７を設けている。同様に、可動接点部１１を挟んだ反対側も同じ構造で、常接接点部と三つの凸部を有する。
【０００８】
図４は、このスイッチバネ１０を組み込んだ押しボタンスイッチの一例で、可動接点部の中心を連接部１３方向に見た断面図であり、接続オン／オフの対象となる第一端子配線２と第二端子配線３を配線した基板１、スイッチバネ１０、ボタン６、このスイッチバネ１０をボタン６と共に挟み込み位置規制する枠４から構成される。
【０００９】
枠４はスイッチバネ１０を平面的に囲う形状をした四辺形で、上部にはボタン６の動きを規制する庇５を備え、基板に固定している。この枠４はスイッチバネ１０にある連接部１４の水平方向の動きを形状的に規制する。スイッチバネ１０は可動接点部１１の湾曲状の頂点が押しボタン６の押込み凸部７と当接しており、押しボタン６にバネ力を働かせて外側（図面上側）に押し上げている。一方その反力としてスイッチバネ１０は下側の基板１に押し付けられ、常接接点部１２の凸部１５、１６、１７が第二端子配線3の第２の端子部で定常的な接触をし、電気的な導通を保つ。枠４内の可動接続部１１の中央に対応する位置に、第一端子配線２の第１の端子がある。図示は省略するが、枠４内の端子配線上にある第１の端子と第２の端子部を除いては絶縁処理が施され、連接部１３とは電気的に絶縁状態になっている。
【００１０】
使用者が押しボタン６を押して、押込み凸部７がスイッチバネ１０にある可動接点部１１の湾曲形状の頂点を押し下げると、スイッチバネ１０は平らになろうとするが、両端の動きは連接部１４により規制されているために平らになることが出来ず、押圧力がある大きさに達すると中央部が一種の挫屈を起こし逆方向に湾曲して、可動接点部１１の頂点の下部が第一端子配線２の第１の端子に接触し、第一端子配線２と第二端子配線３とはスイッチバネを介して接続し、電気的導通状態となる。可動接点部１１の形状の変化をクリックと称し、使用者が指を離し押力を取り除くと可動接点部１１は元の形状に復帰し、第一端子配線２と第二端子配線３との回路は開放状態となり、電気的接続は無くなり、スイッチ動作をする。
【００１１】
なお、本出願人が先に提案した下記特許文献には常接接点部の凸部に錐形形状を採用し、クリック動作の明瞭化と電気的導通の確実性をました押しボタンスイッチの提示がある。
【特許文献１】特開平１１−１４４５５９号
【発明の開示】
【発明が解決しようとする課題】
【００１２】
小型化したボタンスイッチと雖も心地よい使用感を与えるためには、適度の抵抗とクリック感を安定的に確保しなければならない。そのためには可動接点部１１が押圧を受けたときに連接部１３を含むスイッチバネ１０全体が水平にならないようにし、適度な押圧で湾曲の中央部のみが瞬時に反転してＭの字状の波型になる必要がある。これをスイッチバネ単体で行うには押圧の如何に関らず連接部１３の反り形状の変化があまり生じないようにしなければならない。それには常接接点部１２の剛性を上げることが一体となっている連接部１３の剛性を高めることとなって有効である。これを実現するために図３のように常接接点部１２に錐形の凸部を沢山設けているが、形状が複雑なので、整形冶具金型の形状も複雑になり、製作コストを高くしている。
【００１３】
さらに、一枚材料で構成されるこの種のスイッチにおいて、クリック特性を大事にしながら耐荷重性、耐久性を考慮して初期形状を決めるには凸部の位置や大きさをいろいろと変え、現物的試行錯誤を繰り返しながらより適正な形状にしていくことが良く行われる。これら実験的試行を行うに際しては凸部の形状が複雑なのは得策ではない。
【課題を解決するための手段】
【００１４】
押圧により変形して第1の端子と接続し、この押圧を排除することにより元の形に戻り接続を解除する可動接点部とこの接点部の両側に有って常に前記第2の固定接続部と接続している常接接点部とは連結部で連結している同一部材からなるスイッチバネにあって、この常接接点部は溝幅一定の凸形状をした接点部を備えたことを特徴とする。
【００１５】
上記常接接点部は断面が円筒形または楔形の凸形状の接点部を備えたことを特徴とする。
【００１６】
加えて、両側に位置する常接接点部のそれぞれに複数個の上記凸形状の接点部を有することを特徴とする。
【発明の効果】
【００１７】
このように、常接接点部に単純な形状の接点部を設けることにより、従来より小型で低コストのスイッチバネの提供が実現すると共に、整形形状設定のための諸実験を容易にする。
【発明を実施するための最良の形態】
【００１８】
以下、図面に基づいて本発明を実施するための最良の形態を説明する。図１は本発明の小型スイッチバネの斜視図で、図２はその側面図である。この種の小型スイッチバネは構成が簡単なのと機能が決っているので、名称と部番は図３と同じものを使用する。以下、同一名称のものは特に断らない限り本発明の実施形態に関るものとする。
【００１９】
図１において、このスイッチ１０は一枚の板でほぼ長方形に作られ、中央が上方向のアーチ状に湾曲した可動接点部１１である。スイッチバネ全体は、この可動接点部１１の中心を軸に左右上下対象であって、平行な二つのスリット１４を挟んで両側には常接接点部１２があり、可動接点部１１と常接接点部１２のそれぞれ両端は連接部１３により連接された構造である。
【００２０】
常接接点部１２には、可動接点部１１の湾曲と反対方向に隆起し、常接接点部１２を横断する２つの凸部１５、１６を設けている。この凸部の溝幅は一定であって、断面形状はほぼ円弧、または、それに近い形状をしている。同様に、可動接点部１１を挟んだ反対側も同じ構造で、常接接点部と二つの凸部を有する。
【００２１】
図３に示す従来のスイッチバネの凸部の溝幅は外側と内側が異なるので、この形状を整形するにはパンチ金型を錐形のものを使用しなければならない。対して、本実施例では溝幅が一定であるから筒型の金型を使用することが出来る。錐形のものは受型も含めて製作が面倒なばかりか、冶具としての組立も調整が一次元増えて困難を伴う。その点、本実施例のように筒形であれば、金型類の製作も形が単純なだけ容易である。結果として、比較的廉価なスイッチバネの供給が可能となる。
【００２２】
そもそも錐形凸部の目的は凸形の採用により接点としての接触を高めると同時に、クリック感覚を確保するために常接接続部の剛性をあげ、それにより連接部の拘束を高め、見かけ上の剛性を上げることであった。この効果は認められるものの、本実施例においても筒形の凸部を整形することにより折り曲げ効果は出て常接接点部の剛性と連接部の拘束を上げることが出来る。溝の深さ、溝の位置、溝の向きなどの調整により、かなり近い結果が得られる。これらの最良条件を探すのにかなりの試行錯誤的実験を繰り返さなければならないのは錐形も筒型も変わりがない。しかし、この条件変更のセッティングも形状が単純な筒型の方が優れており、この点での現実的利便性も筒型が優れている。
【００２３】
図示は省略するが、接点圧力を増すために断面形状を楔形に近い形にすることも出来る。この場合でも、溝幅一定の金型であれば、整形時のパンチ金型の作成は錐形の金型を作るのに比べれば遥かに容易で同じ目的を達成できる。薄型・小型スイッチバネの特性を上げる手段としてＳＵＳ材の中でも超硬質材を使用することで動作の確実性と電気的安定性を実現している。
【産業上の利用可能性】
【００２４】
以上説明したように、本発明のスイッチバネを小型、薄型のスイッチに適用することにより、比較的廉価なスイッチバネの供給が可能となり、より価格の安い小型スイッチが実現でき、これを組み込んだ電気機器、特に可動型、携帯型電気機器の利用のし易さを促すことが出来る。
【図面の簡単な説明】
【００２５】
【図１】本発明のスイッチバネの斜視図である。
【図２】本発明のスイッチバネの側面図である。
【図３】従来のスイッチバネの一例で、斜視図である。
【図４】小型スイッチの一例で、押しボタンスイッチの断面図である。
【符号の説明】
【００２６】
１、基板
２、３、端子配線
４、枠
５、庇
６、ボタン
７、押込み凸部
１０、スイッチバネ
１１、可動接点部
１２、常接接点部
１３、連接部
１４、スリット
１５、１６、１７、凸部
【図１】
2005340126.tif 000003
【図２】
2005340126.tif 000004
【図３】
2005340126.tif 000005
【図４】
2005340126.tif 000006